(57)【要約】      （修正有）【課題】心拍数の状態のリアルタイムモニタリングおよび効果的な通信を可能にし、ユーザが心房細動の発生に対して迅速かつ効果的に反応できる装置を提供する。【解決手段】第１の聴覚デバイスおよび第２の聴覚デバイスから、第１のセンサデータ（ＰＰＧ信号）、第２のセンサデータ（ＰＰＧ信号）を取得し、第１のセンサデータと第２のセンサデータとの比較に基づき、第１のパラメータ（心房細動の状態）を特定し、第１のパラメータを示す第１の出力信号を出力する。【選択図】図２
2020099674.tif 000002
【特許請求の範囲】
【請求項１】
第１の聴覚デバイスおよび第２の聴覚デバイスを備える聴覚システムの操作方法であって、
センサデータを取得するステップであって、前記センサデータは、第１の生理学的データを表す第１のセンサデータと、第２の生理学的データを表す第２のセンサデータと、を備え、前記第１のセンサデータは、ユーザの第１の耳に配置される前記第１の聴覚デバイスからの第１のセンサ信号を示し、前記第２のセンサデータは、前記ユーザの第２の耳に配置される前記第２の聴覚デバイスからの第２のセンサ信号を示す、取得するステップと、
前記第１のセンサデータと前記第２のセンサデータとを比較するステップと、
前記第１のセンサデータと前記第２のセンサデータとの比較に基づき、第１のパラメータを特定するステップと、
前記第１のパラメータを示す第１の出力信号を出力するステップと、
を備える、方法。
【請求項２】
前記第１の聴覚デバイスおよび／または前記第２の聴覚デバイスからモーションデータを取得するステップをさらに備える、請求項１に記載の方法。
【請求項３】
前記第１のセンサデータと前記第２のセンサデータとを比較するステップは、前記モーションデータに基づく、請求項２に記載の方法。
【請求項４】
前記モーションデータは、前記第１の聴覚デバイスまたは前記第２の聴覚デバイスに配置されるモーションセンサを使用して測定される、請求項２または３に記載の方法。
【請求項５】
前記第１のセンサデータ、前記第２のセンサデータおよび前記第１のパラメータに基づき、第２のパラメータを特定するステップを備え、
前記第２のパラメータは、心房細動の存在を示し、かつ／または、前記第１のパラメータは、前記ユーザの心房細動の状態を示す、請求項１〜４のいずれか一項に記載の方法。
【請求項６】
前記第１のセンサデータは、前記第１の聴覚デバイスの第１のセンサを介して取得され、かつ／または、前記第２のセンサデータは、前記第２の聴覚デバイスの第２のセンサを介して取得される、請求項１〜５のいずれか一項に記載の方法。
【請求項７】
前記センサデータは、３０秒超、好ましくは６０秒超、好ましくは９０秒超、好ましくは１２０秒の期間にわたって取得される、請求項１〜６のいずれか一項に記載の方法。
【請求項８】
前記第１のパラメータを特定するステップは、前記センサデータのデフォルト生理学的データとは異なる部分を特定するステップを備える、請求項１〜７のいずれか一項に記載の方法。
【請求項９】
前記第１のパラメータを特定するステップは、前記センサデータの生理学的な異常を表す所定のパターンに対して類似点を有する部分を特定するステップを備える、請求項１〜８のいずれか一項に記載の方法。
【請求項１０】
前記第１のパラメータを特定するステップは、前記第１のセンサデータおよび前記第２のセンサデータのそれぞれの期間を特定するステップと、前記第１のセンサデータおよび前記第２のセンサデータの期間を比較するステップと、前記第１のセンサデータおよび前記第２のセンサデータの前記期間に基づき、前記第１のパラメータを特定するステップと、を備える、請求項１〜９のいずれか一項に記載の方法。
【請求項１１】
前記第１のパラメータは、データパターンを備える、請求項１〜１０のいずれか一項に記載の方法。
【請求項１２】
前記データパターンは、生理学的な異常を示す、請求項１１に記載の方法。
【請求項１３】
前記第１のパラメータを特定するステップは、前記センサデータに対して心拍数変動解析を実行するステップを備える、請求項１〜１２のいずれか一項に記載の方法。
【請求項１４】
前記第１のセンサ信号を提供する第１のセンサは、光電式容積脈波センサであり、
前記第２のセンサ信号を提供する第２のセンサは、光電式容積脈波センサである、請求項１〜１３のいずれか一項に記載の方法。
【請求項１５】
第１のセンサデータを取得する第１のセンサを備える第１の聴覚デバイスと、
第２のセンサデータを取得する第２のセンサを備える第２の聴覚デバイスと、 
処理ユニットであって、
前記第１のセンサデータと前記第２のセンサデータとを比較し、
前記第１のセンサデータと前記第２のセンサデータとの比較に基づき、第１のパラメータを特定し、
前記第１のパラメータを示す第１の出力信号を出力するように構成される、処理ユニットと、
を備える、聴覚システム。
【発明の詳細な説明】
【技術分野】
【０００１】
本開示は、聴覚システム、聴覚デバイス、アクセサリデバイスおよび聴覚システムの操作方法を含む関連する方法に関する。
【背景技術】
【０００２】
心房細動（ＡＦｉｂ）を有する人のほぼ４分の１は、症状がないためＡＦｉｂを有していることに気付いていない。ＡＦｉｂの検出は、好ましくは長期間にわたる、心拍数および心拍数変動の正確なモニタリングを必要とする。
【発明の概要】
【課題を解決するための手段】
【０００３】
したがって、心臓の状態、特に、ＡＦｉｂの正確で信頼性の高い判定および／または通信が必要とされる。
【０００４】
第１の聴覚デバイスと、第２の聴覚デバイスおよびアクセサリデバイスの一方または両方とを備える聴覚システムの操作方法が開示される。
【０００５】
さらに、第１の聴覚デバイスと、第２の聴覚デバイスおよびアクセサリデバイスの一方または両方とを備える聴覚システムが開示される。
【０００６】
第１の聴覚デバイスおよびアクセサリデバイスを備える聴覚システムの操作方法が開示され、方法は、ユーザの第１の耳に配置される第１の聴覚デバイスからの第１のセンサ信号を示す第１のセンサデータを備えるセンサデータを取得するステップと、第１のセンサデータに基づいて、ユーザの心房細動の状態を検出するステップと、心房細動の状態の検出に従って、心房細動の状態を示す第１の出力信号を出力するステップと、を備える。
【０００７】
また、第１の聴覚デバイスおよびアクセサリデバイスを備える聴覚システムが開示され、聴覚システムは、本明細書で開示される第１の聴覚デバイスおよびアクセサリデバイスを備える聴覚システムの操作方法を実行するように構成されている。
【０００８】
また、第１の聴覚デバイスおよび第２の聴覚デバイスを備える聴覚システムの操作方法が開示され、方法は、センサデータを取得するステップであって、センサデータは、第１の生理学的データを表す第１のセンサデータと、第２の生理学的データを表す第２のセンサデータと、を備え、第１のセンサデータは、ユーザの第１の耳に配置される第１の聴覚デバイスからの第１のセンサ信号を示し、第２のセンサデータは、ユーザの第２の耳に配置される第２の聴覚デバイスからの第２のセンサ信号を示す、取得するステップと、第１のセンサデータと第２のセンサデータとを比較するステップと、第１のセンサデータと第２のセンサデータとの比較に基づき、第１のパラメータを特定するステップと、第１のパラメータを示す第１の出力信号を出力するステップと、を備える。
【０００９】
さらに、聴覚システムが開示され、聴覚システムは、第１のセンサデータを取得する第１のセンサを備える第１の聴覚デバイスと、第２のセンサデータを取得する第２のセンサを備える第２の聴覚デバイスと、処理ユニットであって、第１のセンサデータと第２のセンサデータとを比較し、第１のセンサデータと第２のセンサデータとの比較に基づいて、第１のパラメータを特定し、第１のパラメータを示す第１の出力信号を出力するように構成される、例えば、第１の聴覚デバイスのプロセッサユニットの一部、または、アクセサリデバイスのプロセッサユニットの一部としての処理ユニットと、を備える。
【００１０】
ユーザの心臓の状態の検出及びモニタリングのために聴覚デバイスが使用されることは、本開示の重要な利点である。聴覚デバイスは、通常は長期間、通常は一日中装着され、これは、心房細動（ＡＦＩＢ）または他の心臓の状態の検出に特に有利である。
【００１１】
さらに、本方法およびデバイス／システムは、ユーザの生理学的パラメータのより信頼性が高くかつ正確な検出により、心臓の状態の改善された検出および／またはモニタリングを提供する。
【００１２】
本開示は、心拍数の状態のリアルタイムモニタリングおよび効果的な通信を可能にし、ユーザがＡＦｉｂの発生に対して迅速かつ効果的に反応できるようにする。
【００１３】
本発明の上記及び他の特徴及び利点は、添付の図面を参照しながら、例示的実施形態の以下の詳細な説明により当業者には容易に明らかとなるであろう。
【図面の簡単な説明】
【００１４】
【図１】本開示による例示的な聴覚システムを概略的に示す。
【図２】本開示による例示的方法のフローチャートである。
【図３】本開示による例示的方法のフローチャートである。
【図４】例示的な聴覚デバイスを概略的に示す。
【図５】２つのＰＰＧ信号（第１のセンサ信号および第２のセンサ信号）の処理を概略的に示す。
【図６】本開示による例示的なアクセサリデバイスを示す。
【発明を実施するための形態】
【００１５】
関連する場合に図面を参照しながら、各種の例示的な実施形態および詳細を以下で説明する。図面は縮尺通りに描写されている場合もあれば、されていない場合もあり、類似の構造または機能の要素は、図面全体にわたって同じ参照番号により表されるという点に留意すべきである。また、図面は実施形態の説明を容易にすることを意図するものに過ぎないことに留意すべきである。図面は、本発明の包括的な説明としても、本発明の範囲に対する制限としても意図されない。加えて、図示される実施形態は、示されるすべての態様または利点を有する必要はない。特定の実施形態とともに記載される態様または利点は、必ずしもその実施形態に限定されず、示されていなかったり、明示的に説明されていなかったりしても、任意の他の実施形態で実施可能である。
【００１６】
本開示は、聴覚システム、ならびに、そのデバイス、例えば、第１の聴覚デバイスおよび／または第２の聴覚デバイスに関する。
【００１７】
第１の聴覚デバイスおよび／または第２の聴覚デバイス等の聴覚デバイスが開示される。本文脈においては、「聴覚デバイス」への言及は、第１の聴覚デバイスおよび／または第２の聴覚デバイスを指す。聴覚デバイスは、プロセッサがユーザの聴力損失を補うように構成されるヒアラブルまたは補聴器であってもよい。聴覚デバイスは、耳かけ（Ｂｅｈｉｎｄ−Ｔｈｅ−Ｅａｒ）（ＢＴＥ）型、耳あな（Ｉｎ−Ｔｈｅ−Ｅａｒ）（ＩＴＥ）型、外耳道挿入（Ｉｎ−Ｔｈｅ−Ｃａｎａｌ）（ＩＴＣ）型、レシーバ外耳道挿入（Ｒｅｃｅｉｖｅｒ−Ｉｎ−Ｃａｎａｌ）（ＲＩＣ）型またはレシーバ耳あな（Ｒｅｃｅｉｖｅｒ−Ｉｎ−Ｔｈｅ−Ｅａｒ）（ＲＩＴＥ）型であってもよい。補聴器は、両耳用補聴器であってもよい。
【００１８】
聴覚デバイスは、１つまたは複数のデバイスと、例えば別の聴覚デバイスと、例えば両耳用聴覚システムの一部として、かつ／または、１つもしくは複数のアクセサリデバイスと、例えばスマートフォンおよび／もしくはスマートウォッチと、無線接続するように構成されていてもよい。
【００１９】
聴覚デバイスは、例えば第１の聴覚デバイスおよび／または第２の聴覚デバイスは、１組のマイクロホンを任意に備える。１組のマイクロホンは、１つまたは複数のマイクロホンを備えていてもよい。１組のマイクロホンは、第１のマイクロホン入力信号を提供するための第１のマイクロホンおよび／または第２のマイクロホン入力信号を提供するための第２のマイクロホンを備える。１組のマイクロホンは、Ｎ個のマイクロホン信号を提供するためのＮ個のマイクロホンを備えていてもよく、Ｎは、１〜１０の範囲の整数である。１つまたは複数の例示的な聴覚デバイスでは、マイクロホンの数Ｎは、２、３、４、５またはそれ以上である。１組のマイクロホンは、第３のマイクロホン入力信号を提供するための第３のマイクロホンを備えていてもよい。
【００２０】
第１の聴覚デバイスは、第１のマイクロホンおよび第１のプロセッサユニットを備えていてもよい。第１のマイクロホンは、第１の聴覚デバイスのＢＴＥハウジングまたは第１の聴覚デバイスの外耳道部分／イヤピースに配置されていてもよい。第１のプロセッサユニットは、第１の聴覚デバイスのＢＴＥハウジングまたは第１の聴覚デバイスの外耳道部分／イヤピースに配置されていてもよい。
【００２１】
第１の聴覚デバイスは、第１のセンサ信号を提供するように構成される第１のセンサを備えていてもよい。第１のセンサは、光電式容積脈波（ｐｈｏｔｏｐｌｅｔｈｙｓｍｏｇｒａｍ）センサであってもよい。第１のセンサは、ユーザの耳甲介内または外耳道内に配置されるように構成され得ていてもよい。換言すると、第１のセンサ信号を提供する第１のセンサは、光電式容積脈波センサであってもよい。第１のセンサは、複数の電気ワイヤを備える第２のケーブルを介して第１の聴覚デバイス／第１のプロセッサユニットに通信可能に接続されていてもよい。
【００２２】
聴覚システムは、例えば第１の聴覚デバイスは、第１のレシーバを備えていてもよい。第１のレシーバは、少なくとも部分的にユーザの外耳道内に配置または位置決めされてもよい。第１のレシーバは、例えば、ＢＴＥ−ＲＩＥ聴覚デバイスまたはＢＴＥ−ＭＡＲＩＥ聴覚デバイス内で、複数の電気ワイヤを備える第１のケーブルを介して第１の聴覚デバイスの第１のプロセッサユニットに通信可能に接続されていてもよい。
【００２３】
１つまたは複数の例示的な方法／聴覚システムでは、第１のレシーバおよび第１のセンサは、ユーザの外耳道内の第１の聴覚デバイスのハウジングに収容されている。１つまたは複数の例示的な方法／聴覚システムでは、第１のレシーバおよび第１のセンサは、聴覚デバイスのイヤピースに収容され、例えば、第１の聴覚デバイスは、ＢＴＥ−ＲＩＥ聴覚デバイス、ＢＴＥ−ＭＡＲＩＥ聴覚デバイスまたはＩＴＥ聴覚デバイスである。
【００２４】
第１の聴覚デバイスは、第１のモーションセンサとも称されるモーションセンサを備えていてもよい。第１のモーションセンサは、第１のモーションデータの提供のために第１のモーションセンサ信号を送達する。すなわち、第１のモーションデータは、第１の聴覚デバイスに配置される第１のモーションセンサを使用して測定される。
【００２５】
第２の聴覚デバイスは、第２のマイクロホンおよび第２のプロセッサユニットを備えていてもよい。第２のマイクロホンは、第２の聴覚デバイスのＢＴＥハウジングまたは第２の聴覚デバイスの外耳道部分／イヤピースに配置されていてもよい。第２のプロセッサユニットは、第２の聴覚デバイスのＢＴＥハウジングまたは第２の聴覚デバイスの外耳道部分／イヤピースに配置されていてもよい。
【００２６】
聴覚システムは、例えば第２の聴覚デバイスは、第２のセンサ信号を提供するように構成される第２のセンサを備えていてもよい。第２のセンサは、光電式容積脈波センサであってもよい。第２のセンサは、ユーザの耳甲介または外耳道内に配置されるように構成されていてもよい。換言すると、第２のセンサ信号を提供する第２のセンサは、光電式容積脈波センサであってもよい。
【００２７】
第２の聴覚デバイスは、第２のレシーバを備えていてもよい。第２のレシーバは、少なくとも部分的にユーザの外耳道内に配置または位置決めされてもよい。第２のレシーバは、例えば、ＢＴＥ−ＲＩＥ聴覚デバイスまたはＢＴＥ−ＭＡＲＩＥ聴覚デバイス内で、複数の電気ワイヤを備える第２のケーブルを介して第２の聴覚デバイスの第２のプロセッサユニットに通信可能に接続されていてもよい。
【００２８】
１つまたは複数の例示的な方法／聴覚システムでは、第２のレシーバおよび第２のセンサは、ユーザの外耳道内のハウジングに収容されている。１つまたは複数の例示的な方法／聴覚システムでは、第２のレシーバおよび第２のセンサは、聴覚デバイスのイヤピースに収容されている。
【００２９】
第２の聴覚デバイスは、第２のモーションセンサとも称されるモーションセンサを備えていてもよい。第２のモーションセンサは、第２のモーションデータの提供のために第２のモーションセンサ信号を送達する。すなわち、第２のモーションデータは、第２の聴覚デバイスに配置される第２のモーションセンサを使用して測定される。
【００３０】
聴覚システムは、アクセサリデバイスを備えていてもよい。（外部デバイスとも称される）アクセサリデバイスは、携帯電話またはその他の携帯端末であってもよい。アクセサリデバイスは、パーソナル電子デバイス、例えば、腕時計または他の手首装着型電子デバイスのようなウェアラブルデバイスであってもよい。アクセサリデバイスは、タブレット型コンピュータであってもよい。
【００３１】
本明細書で開示される方法は、例えば、第１の生理学的データを表す第１のセンサデータを含むセンサデータを取得するステップを備える。センサデータは、例えば、第２の生理学的データを表す第２のセンサデータを備えていてもよい。
【００３２】
第１の生理学的データおよび第２の生理学的データは、ユーザの心機能を表してもよい。
【００３３】
第１のセンサデータは、ユーザの第１の耳に配置される第１の聴覚デバイスからの第１のセンサ信号を示す。
【００３４】
第２のセンサデータは、ユーザの第２の耳に配置される第２の聴覚デバイスからの第２のセンサ信号を示す。したがって、１つまたは複数の例示的な方法では、聴覚システムは、第２の聴覚デバイスを備え、センサデータは、ユーザの第２の耳に配置される第２の聴覚デバイスからの第２のセンサ信号を示す第２のセンサデータを備える。
【００３５】
センサデータは、３０秒超、好ましくは６０秒超、好ましくは９０秒超、好ましくは１２０秒の期間にわたって取得されてもよい。１つまたは複数の例示的な方法では、センサデータは、１つまたは複数の期間、例えば、１次期間および／または２次期間の間取得される。
【００３６】
１つまたは複数の例示的な方法では、方法は、第１のセンサデータおよび／または第２のセンサデータに基づいて、ユーザの心房細動の状態を検出するステップと、心房細動の状態の検出に従って、心房細動の状態を示す第１の出力信号を出力するステップと、を備える。異なる聴覚デバイスからのセンサデータに基づいて心房細動の状態を検出することにより、心房細動の状態のより正確なおよび／または信頼性の高い判断を可能にし、例えば、偽陽性、すなわちＡＦｉｂの存在の誤った判断の数の低減につながる。心房細動の状態を検出するステップは、複数の心房細動の状態から、例えば、少なくとも３つの心房細動の状態から、少なくとも４つの心房細動の状態から、または、少なくとも５つの心房細動の状態から、１つの心房細動の状態を選択するステップを備えていてもよい。
【００３７】
１つまたは複数の例示的な方法では、方法は、例えば第１の聴覚デバイスおよび／またはアクセサリデバイスにおいて、第１のセンサデータと第２のセンサデータを比較するステップと、第１のセンサデータと第２のセンサデータの比較に基づいて第１のパラメータを特定するステップと、第１のパラメータを示す第１の出力信号を出力するステップと、を備える。
【００３８】
１つまたは複数の例示的な方法では、第１のセンサデータと第２のセンサデータを比較するステップは、第１のセンサデータの期間と第２のセンサデータの期間を比較するステップと、第１の選択基準が満たされることに従って、（第１の選択基準が満たされる期間の）出力センサデータとして、第１のセンサデータ（または重み付けされた第１のセンサデータ）を選択するステップと、を備えていてもよく、第１のセンサデータと第２のセンサデータの比較に基づく第１のパラメータの特定は、出力センサデータに基づく。第１のセンサデータと第２のセンサデータを比較するステップは、共通の選択基準が満たされることに従って、（共通の選択基準が満たされる期間の）出力センサデータとして、第１のセンサデータ（または重み付けされた第１のセンサデータ）および第２のセンサデータ（または重み付けされた第２のセンサデータ）の組み合わせを選択するステップを備えていてもよい。第１のセンサデータと第２のセンサデータを比較するステップは、第２の選択基準が満たされることに従って、（第２の選択基準が満たされる期間の）出力センサデータとして、第２のセンサデータ（または重み付けされた第２のセンサデータ）を選択するステップを備えていてもよい。したがって、第１のセンサデータと第２のセンサデータを比較するステップは、センサ出力データを決定するステップと、センサ出力データに基づいて第１のパラメータを特定するステップと、を備えていてもよい。
【００３９】
１つまたは複数の例示的な方法では、第１のセンサデータと第２のセンサデータを比較するステップは、第１のセンサデータの１次期間と第２のセンサデータの１次期間をそれぞれ特定するステップと、第１のセンサデータの１次期間と第２のセンサデータの１次期間を比較するステップと、第１のセンサデータの１次期間および第２のセンサデータの１次期間の一方または両方に基づいて第１のパラメータを特定するステップと、を備える。
【００４０】
１つまたは複数の例示的な方法では、第１のパラメータを特定するステップは、センサデータのデフォルト生理学的データとは異なる部分を特定するステップを備える。
【００４１】
１つまたは複数の例示的な方法では、第１のパラメータを特定するステップは、センサデータの生理学的な異常を表す所定のパターンに対して類似点を有する部分を特定するステップを備える。
【００４２】
１つまたは複数の例示的な方法では、第１のパラメータを特定するステップは、センサデータに対して心拍数変動解析を実行するステップを備える。したがって、第１のパラメータは、心拍数変動解析の出力であってもよい。
【００４３】
１つまたは複数の例示的な方法では、第１のパラメータは、ユーザの心拍数変動を示す。第１のパラメータは、ユーザの心房細動の状態を示してもよい。第１のパラメータは、センサデータの１つまたは複数のＲ−Ｒ間隔を示す。
【００４４】
１つまたは複数の例示的な方法では、第１のパラメータは、データパターンを備える。データパターンは、生理学的な異常を示してもよい。
【００４５】
１つまたは複数の例示的な方法では、方法は、第１のセンサデータ、第２のセンサデータおよび第１のパラメータに基づき、第２のパラメータを特定するステップを備え、第２のパラメータは、心房細動の存在または心房細動の状態を示す。
【００４６】
１つまたは複数の例示的な方法では、例えば心房細動の状態を示し、かつ／または、第１のパラメータを示す第１の出力信号を出力するステップは、第１の聴覚デバイスを介して第１のオーディオ信号を出力するステップを備える。したがって、ユーザが第１の聴覚デバイスを装着しているため、ユーザが高確率で第１のオーディオ信号を聞いている状態でＡＦｉｂが発生したときに、ユーザは、警告または通知され得る。
【００４７】
１つまたは複数の例示的な方法では、方法は、アクセサリデバイスのユーザの起動を検出するステップと、心房細動の状態の検出およびユーザの起動の検出に従って、心房細動の状態を示す第２の出力信号を出力するステップと、を備える。第２の出力信号は、第１の出力信号とは異なっていてもよく、第２の出力信号は、視覚的出力であってもよい。したがって、心房細動の状態についてのより詳細な情報は、第２の出力信号でユーザに伝達されてもよい。したがって、ユーザは、ユーザが高確率で気付く状態で、ユーザにアクセサリデバイスを見るように促す第１の出力信号によって注意する必要があると警告され、アクセサリデバイスにおける第２の出力信号は、心房細動の状態についてのより詳細な情報を提供するために、より大きな処理能力および出力方法を用いる。これにより、ユーザには心房細動の状態についての詳細で迅速かつ信頼性の高い情報が提供され、ユーザは、心房細動の状態の発生による影響を低減するために最適なまたは正しい措置をとることができる。
【００４８】
１つまたは複数の例示的な方法では、心房細動の状態を示す第２の出力信号を出力するステップは、心房細動の状態を示す第１のユーザインタフェース要素を備える第１のユーザインタフェースを、アクセサリデバイスのディスプレイに表示するステップを備える。第１のユーザインタフェース要素は、例えば心房細動の状態のインジケータを持つ１〜５の相対スケールであるポアンカレプロットを備えていてもよく、例えば、１は非常に低リスクの心臓の状態を示し、かつ／または、５は非常に高リスクの心臓の状態を示す。
【００４９】
１つまたは複数の例示的な方法では、方法は、アクセサリデバイスのディスプレイに、送信動作を示す第２のユーザインタフェース要素を表示するステップと、第２のユーザインタフェース要素のユーザの選択を検出するステップと、第２のユーザインタフェース要素のユーザの選択の検出に従って、センサデータをサーバデバイスに送信するステップと、を備える。これにより、ユーザは、ユーザが自分の健康データを共有したいかや、どんな場合に共有したいかを決定できる。第２のユーザインタフェース要素は、第２の出力信号の一部を形成してもよい。したがって、心房細動の状態を示す第２の出力信号を出力するステップは、送信動作を示す第２のユーザインタフェース要素を表示するステップを備えていてもよい。
【００５０】
１つまたは複数の例示的な方法では、方法は、アクセサリデバイスのディスプレイに、アクセサリデバイスを用いた心臓の状態の測定を示す第３のユーザインタフェース要素を表示するステップと、第３のユーザインタフェース要素のユーザの選択を検出するステップと、第３のユーザインタフェース要素のユーザの選択の検出に従って、アクセサリデバイスを用いた心臓の状態の測定を実行するステップと、を備える。方法は、心臓の状態の測定結果をサーバデバイスに送信するステップを任意で備える。これにより、ユーザは、聴覚デバイスの第１のセンサ／第２のセンサにより検出される心房細動の状態を効果的に確認できる。第３のユーザインタフェース要素は、第２の出力信号の一部を形成してもよい。したがって、心房細動の状態を示す第２の出力信号を出力するステップは、アクセサリデバイスを用いた心臓の状態の測定を示す第３のユーザインタフェース要素を表示するステップを備えていてもよい。
【００５１】
１つまたは複数の例示的な方法では、方法は、例えば、アクセサリデバイスのデバイスに、ユーザへの指示を含む第４のユーザインタフェース要素を表示することによって、ユーザへの指示をユーザに出力するステップ、および／または、第１の聴覚デバイスを介して第２のオーディオ信号を出力するステップを備え、第２のオーディオ信号は、ユーザへの指示を示す。第４のユーザインタフェース要素は、第２の出力信号の一部を形成してもよい。したがって、第２の出力信号を出力するステップは、アクセサリデバイスのディスプレイに、ユーザへの指示を含む第４のユーザインタフェース要素を表示するステップを備えていてもよい。方法は、ユーザのユーザ行動を検出するステップと、ユーザ行動がユーザへの指示に対応していないかどうかを判断するステップと、ユーザ行動がユーザへの指示に対応していないという判断に従って、ユーザへの指示に従っていないことを示す第５の出力信号を出力するステップと、を任意で備える。これにより、ユーザは、ＡＦｉｂの状態に対してどのように反応すべきか誘導され、ユーザがそれに従って行動していなければ注意喚起される。
【００５２】
１つまたは複数の例示的な方法では、ユーザのユーザ行動を検出することは、モーションデータ、例えば、第１の聴覚デバイスおよび／または第２の聴覚デバイスからの第１のモーションデータおよび／または第２のモーションデータに基づく。ユーザ行動を検出することは、アクセサリデバイスからの、例えば、アクセサリデバイスの１つまたは複数のモーションセンサからのモーションデータに基づいてもよい。１つまたは複数の例示的な方法では、方法は、ユーザのユーザ行動、例えば、活動／運動を検出するステップと、例えば、活動／運動が安静時のユーザへの指示とは対照的に活動閾値よりも大きいかどうかを判断することによって、ユーザ行動がユーザへの指示に対応していないかどうかを判断するステップと、ユーザ行動がユーザへの指示に対応していないという判断、例えば、活動が活動閾値よりも大きいという判断に従って、ユーザへの指示に従っていないことを示す第５の出力信号を出力するステップと、を任意で備える。第５の出力信号は、第１の聴覚デバイスを介した第３のオーディオ信号および／またはアクセサリデバイスのディスプレイに表示される第５のユーザインタフェース要素を備えていてもよい。
【００５３】
１つまたは複数の例示的な方法では、ユーザの心房細動の状態を検出するステップは、センサデータに対して心拍数変動解析を実行するステップを備える。心拍数変動を示す第１のパラメータＰ＿１が第１の基準を満たしている場合、例えば、Ｐ＿１＞ＴＨ＿１であって、ＴＨ＿１が第１の閾値である場合、心房細動の状態が検出されてもよい。
【００５４】
１つまたは複数の例示的な方法では、ユーザの心房細動の状態を検出するステップは、センサデータに基づき複数のＲ−Ｒ間隔を決定するステップを備える。方法は、Ｒ−Ｒ間隔を比較するステップを任意で備える。Ｒ−Ｒ間隔の差が第２の基準を満たしている場合、例えば、Ｐ＿２＞ＴＨ＿２であって、Ｐ＿２がＲ−Ｒ間隔の差を示す第２のパラメータであり、ＴＨ＿２が第２の閾値である場合、心房細動の状態が検出されてもよい。
【００５５】
１つまたは複数の例示的な方法では、方法は、第１の入力信号を提供するために第１のマイクロホンによって音声入力信号を検出または受信するステップと、第１のプロセッサユニットによって、第１の聴覚デバイスを装着したユーザの聴力損失に従って第１の入力信号を処理するステップと、第１のプロセッサユニットによる処理済み信号を出力するステップと、をさらに備える。すなわち、処理済み信号は、第１の入力信号に基づく。
【００５６】
１つまたは複数の例示的な方法では、方法は、心房細動の状態の検出に従って、第１のプロセッサユニットによる処理済み信号の出力を控えるステップを備えていてもよい。すなわち、聴覚デバイスの処理は、第１の聴覚デバイスが第１の出力信号を出力したときに中止、一時停止または停止されてもよく、これにより、ユーザが第１の出力信号に気付き、それにより心房細動の状態の検出に反応できる確率がさらに高まる。
【００５７】
１つまたは複数の例示的な方法では、方法は、第１のレシーバを用いて、処理済み信号に基づく第１のオーディオ出力信号を出力するステップをさらに備える。
【００５８】
１つまたは複数の例示的な方法では、方法は、例えば第１の聴覚デバイスおよび／または第２の聴覚デバイスからのモーションデータを取得するステップをさらに備える。ユーザの心房細動の状態を検出することは、モーションデータに基づいてもよい。
【００５９】
１つまたは複数の例示的な方法では、第１のセンサデータと第２のセンサデータを比較するステップは、モーションデータに、例えば、第１の聴覚デバイスの第１のモーションセンサからの第１のモーションデータおよび／または第２の聴覚デバイスの第２のモーションセンサからの第２のモーションデータに基づく。例えば、第１のセンサデータと第２のセンサデータを比較するステップは、（第１の）モーションデータに基づいて第１の重みを決定するステップと、第１の重みを第１のセンサデータに適用するステップと、を備えていてもよい。例えば、第１のセンサデータと第２のセンサデータを比較するステップは、（第２の）モーションデータに基づいて第２の重みを決定するステップと、第２の重みを第２のセンサデータに適用するステップと、を備えていてもよい。
【００６０】
１つまたは複数の例示的な方法では、モーションデータは、（第１の）モーションセンサからの第１のモーションセンサ信号を示す第１のモーションデータを備え、ユーザの心房細動の状態を検出することは、第１のモーションデータに基づく。モーションデータは、（第２の）モーションセンサからの第２のモーションセンサ信号を示す第２のモーションデータを備え、ユーザの心房細動の状態を検出することは、第２のモーションデータに基づく。
【００６１】
１つまたは複数の例示的な方法では、ユーザの心房細動の状態を検出するステップは、第１のモーションデータを第１のモーション閾値と比較するステップと、第１のモーションデータが第１のモーション閾値に基づく第１のモーション基準を満たすことに従って、第１のセンサデータを調整するステップと、をさらに備える。ユーザの心房細動の状態を検出するステップは、第２のモーションデータを第２のモーション閾値と比較するステップと、第２のモーション閾値に基づく第２のモーション基準を満たす第２のモーションデータに従って、第２のセンサデータを調整するステップと、を備えていてもよい。
【００６２】
図１は、本開示の例示的な聴覚システムを示す。聴覚システム２は、第１の聴覚デバイス４と、任意で第２の聴覚デバイス６とを備える。さらに、ここではスマートフォンとして示されるアクセサリデバイス８は、無線接続１０、１２それぞれを介して聴覚デバイス４、６の一方または両方と無線通信するように構成されている。聴覚デバイス４、６は、無線接続１３を介して無線で通信してもよい。聴覚システム２は、サーバデバイス９を任意で備え、アクセサリデバイス８は、無線および／または有線接続１３Ａを介してサーバデバイス９と通信するように構成されている。使用中、ユーザ１４は、それぞれの耳１６、１８に聴覚デバイス４、６を装着する。すなわち、第１の聴覚デバイス４は、ユーザ１４の第１の耳１６に配置され、第２の聴覚デバイスは、ユーザ１４の第２の耳１８に配置される。聴覚デバイス４、６は、耳に掛けて装着されるように構成されるハウジング２０と、イヤピース２２と、ハウジング２０およびイヤピース２２を接続するチューブコネクタ２４を有する耳かけ型のものとして示されている。本明細書に開示の聴覚デバイスは、耳あな型のものであってもよいことを理解すべきである。
【００６３】
図２は、本開示による例示的方法のフローチャートである。聴覚システムの、例えば第１の聴覚デバイスおよび第２の聴覚デバイスを備える聴覚システム２の操作方法１００が示されており、方法１００は、センサデータを取得するステップ１０２であって、センサデータは、第１の生理学的データを表す第１のセンサデータおよび第２の生理学的データを表す第２のセンサデータを備え、第１のセンサデータは、ユーザの第１の耳に配置される第１の聴覚デバイスからの第１のセンサ信号を示し、第２のセンサデータは、ユーザの第２の耳に配置される第２の聴覚デバイスからの第２のセンサ信号を示す、取得するステップ１０２と、第１のセンサデータと第２のセンサデータを比較するステップ１０４と、第１のセンサデータと第２のセンサデータの比較に基づき第１のパラメータを特定するステップ１０６と、第１のパラメータを示す第１の出力信号を出力するステップ１０８と、を備える。
【００６４】
方法１００は、第１の聴覚デバイスから第１のモーションデータを取得するステップ１１０Ａと、第２の聴覚デバイスから第２のモーションデータを取得するステップ１１０Ｂと、を備えるモーションデータを取得するステップ１１０を任意で備える。第１のモーションデータは、第１の聴覚デバイスの第１のモーションセンサを使用して測定され、第２のモーションデータは、第２の聴覚デバイスの第２のモーションセンサを使用して測定される。方法１００では、モーションデータは、第１のセンサデータと第２のセンサデータを比較するときに重み係数として使用される。すなわち、（調整された第１のセンサデータおよび調整された第２のセンサデータを生成するために）第１のセンサデータは第１のモーションデータに基づき、第２のセンサデータは第２のセンサデータに基づく。
【００６５】
第１のセンサデータと第２のセンサデータを比較するステップ１０４は、第１の聴覚デバイスおよび／またはアクセサリデバイスで任意で実行される。したがって、第２の聴覚デバイスは、さらなる解析のために、第２のセンサデータ、および／または、第２のセンサデータ由来の１つもしくは複数のパラメータを、第１の聴覚デバイスおよび／またはアクセサリデバイスに送信してもよい。
【００６６】
第１のパラメータを特定するステップ１０６は、センサデータに対して心拍数変動解析を実行するステップを備え、第１のパラメータは、ユーザの心拍数変動を示し、それゆえユーザの心房細動の状態も示す。例えば、大きな心拍数変動を示す第１のパラメータＰ＿１は、心房細動の状態を示し、心房細動の状態は、第１のパラメータＰ＿１が第１の基準を満たしている場合、例えば、Ｐ＿１＞ＴＨ＿１であって、ＴＨ＿１は第１の閾値である場合、検出されてもよい。第１の心房細動の状態ＡＦｉｂ＿１は、第１のパラメータＰ＿１が第１の基準を満たしている場合に検出されてもよく、かつ／または、第２の心房細動の状態ＡＦｉｂ＿２は、第１のパラメータＰ＿１が第２の基準を満たしている場合に検出されてもよい。
【００６７】
方法１００において、センサデータは、例えば６０〜１８０秒の範囲内の期間、例えば１２０秒間にわたって取得される。すなわち、本方法は、好ましくは、６０秒〜１８０秒の範囲内の長さを有するセンサデータシーケンスに対して行う。
【００６８】
１つまたは複数の方法１００では、第１のパラメータは、生理学的な異常を示すデータパターンを備え、第１の出力信号は、生理学的な異常を示す。
【００６９】
図３は、本開示による例示的方法のフローチャートである。聴覚システムの、例えば第１の聴覚デバイスおよびアクセサリデバイスを備える聴覚システム２の操作方法２００が示されており、方法２００は、ユーザの第１の耳に配置される第１の聴覚デバイスからの第１のセンサ信号を示す第１のセンサデータを備えるセンサデータを取得するステップ１０２と、例えば、第１の聴覚デバイスまたはアクセサリデバイスにおいて、第１のセンサデータに基づいてユーザの心房細動の状態を検出するステップ２０４と、心房細動の状態の検出に従って、心房細動の状態を示す第１の出力信号を出力するステップ２０６と、を備える。心房細動の状態を示す第１の出力信号を出力するステップ２０６は、第１の聴覚デバイスを介して第１のオーディオ信号を出力するステップ２０６Ａを備える。
【００７０】
方法２００において、聴覚システムは、第２の聴覚デバイスを備え、センサデータは、ユーザの第２の耳に配置される第２の聴覚デバイスからの第２のセンサ信号を示す第２のセンサデータを備え、ユーザの心房細動の状態を検出するステップ２０４は、第２のセンサデータに基づく。１つまたは複数の例示的な方法２００において、心房細動の状態を検出するステップ２０４は、図２を参照して詳細に説明されるように、比較するステップ１０４の動作および特定するステップ１０６の動作を備える。
【００７１】
方法２００は、アクセサリデバイスのユーザの起動を検出するステップ２０８を備える。ユーザが、例えばパスコードを入力するか、顔認証（ｆａｃｅ  ＩＤ）を使用して、アクセサリデバイスのロックを解除すると、ユーザの起動が検出されてもよい。ユーザが、例えばアクセサリデバイスのホーム画面またはロック画面上のユーザインタフェース要素を起動させると、ユーザの起動が検出されてもよい。
【００７２】
さらに、本方法は、アクセサリデバイスを用いて、例えば１つまたは複数の基準が満たされていることに従って２１２、１つまたは複数の出力信号を出力するステップ２１０を含む。
【００７３】
方法２００は、心房細動の状態の検出と、ユーザの起動ＵＡの検出に従って２１２Ａ、心房細動の状態を示す第２の出力信号を出力するステップ２１０Ｂを備える。方法２００において、心房細動の状態を示す第２の出力信号を出力するステップ２１０Ｂは、心房細動の状態を示す第１のユーザインタフェース要素を備える第１のユーザインタフェースを、アクセサリデバイスのディスプレイに表示するステップ２１０ＢＢを備える。
【００７４】
方法２００は、アクセサリデバイスのディスプレイに、送信動作を示す第２のユーザインタフェース要素を表示するステップ２１４Ａと、第２のユーザインタフェース要素のユーザの選択を検出するステップ２１４Ｂと、第２のユーザインタフェース要素のユーザの選択の検出に従って、センサデータまたはその少なくとも一部をサーバデバイスに送信するステップ２１４Ｃと、を備えるステップ２１４を任意で備える。
【００７５】
方法２００は、アクセサリデバイスのディスプレイに、アクセサリデバイスを用いた心臓の状態の測定を示す第３のユーザインタフェース要素を表示するステップ２１６Ａと、第３のユーザインタフェース要素のユーザの選択を検出するステップ２１６Ｂと、第３のユーザインタフェース要素のユーザの選択の検出に従って、アクセサリデバイスを用いた心臓の状態の測定を実行するステップ２１６Ｃと、心臓の状態の測定結果をサーバデバイスに送信するステップ２１６Ｄと、を備えるステップ２１６を任意で備える。
【００７６】
方法２００は、ユーザへの指示をユーザに、例えばアクセサリデバイスのディスプレイに、かつ／または、第１の聴覚デバイスを介してオーディオ信号として出力するステップ２１８Ａと、ユーザのユーザ行動を検出するステップ２１８Ｂと、ユーザ行動がユーザへの指示に対応していないかどうかを判断するステップ２１８Ｃと、ユーザ行動がユーザへの指示に対応していないという判断に従って、ユーザへの指示に従っていないことを示す第５の出力信号を、例えばアクセサリデバイスのディスプレイに、かつ／または、第１の聴覚デバイスを介してオーディオ信号として出力するステップ２１８Ｄと、を備えるステップ２１８を任意で備える。
【００７７】
ユーザへの指示をユーザに出力するステップ２１８Ａは、アクセサリデバイスのディスプレイに、ユーザへの指示を含む第４のユーザインタフェース要素を、例えばテキストフィールドまたはテキストボックスを表示するステップを任意で備える。ユーザへの指示をユーザに出力するステップ２１８Ａは、第１の聴覚デバイスを介して第２のオーディオ信号を出力するステップを任意で備え、第２のオーディオ信号は、ユーザへの指示を示す。
【００７８】
方法２００において、ユーザの心房細動の状態を検出するステップ２０４は、センサデータに対して心拍数変動解析を実行するステップ２０４Ａと、センサデータに基づいて複数のＲ−Ｒ間隔を決定するステップ２０４Ｂと、を備える。
【００７９】
方法２００において、図４に示すように、第１の聴覚デバイスは、聴覚デバイス４、３００であってもよい。
【００８０】
方法２００は、第１の入力信号を提供するために第１のマイクロホンによって音声入力信号を検出するステップと、第１のプロセッサユニットによって、第１の聴覚デバイスを装着したユーザの聴力損失に従って第１の入力信号を処理するステップと、第１のプロセッサユニットによる処理済み信号を出力するステップと、第１のレシーバを用いて、処理済み信号に基づく第１のオーディオ出力信号を出力するステップと、をさらに備えるステップ２２０を備える。
【００８１】
方法２００は、モーションセンサからの第１のモーションセンサ信号を示す第１のモーションデータを備えるモーションデータを取得するステップ２２２をさらに備え、ユーザの心房細動の状態を検出するステップ２０４は、第１のモーションデータに基づく。方法２００において、ユーザの心房細動の状態を検出するステップ２０４は、第１のモーションデータを第１のモーション閾値と比較するステップ２０４Ｃと、第１のモーションデータが第１のモーション閾値に基づく第１のモーション基準を満たすことに従って、例えば、第１のモーションデータに基づき第１の重みで第１のセンサデータを重み付けすることにより、第１のセンサデータを調整するステップ２０４Ｄと、をさらに備える。方法２００において、比較するステップ２０４Ｃは、第２のモーションデータを第２のモーション閾値と比較するステップと、第２のモーションデータが第２のモーション閾値に基づく第２のモーション基準を満たすことに従って、例えば、第２のモーションデータに基づき第２の重みで第２のセンサデータを重み付けすることにより、第２のセンサデータを調整するステップと、を任意で備える。
【００８２】
図４は、例えば第１の聴覚デバイス４および／または第２の聴覚デバイス６として使用される、例示的な聴覚デバイス３００を概略的に示す。聴覚デバイス３００は、第１のマイクロホン３０６および任意で第２のマイクロホン３０８を含む入力モジュール３０４を収容するＢＴＥハウジング３０２を備える。聴覚デバイス３００は、ＢＴＥハウジング３０２に収容または配置されるプロセッサユニット３１０を備える。アクセサリデバイス、例えばアクセサリデバイス８、および／または、その他の聴覚デバイスとの無線通信のための通信ユニット３１２は、ＢＴＥハウジング３０２に収容されている。聴覚デバイス３００は、センサ信号３１６、３１６Ａ、３１６Ｂをプロセッサユニット３１０に提供するように構成される光電式容積脈波センサ３１４（第１の聴覚デバイス４用の第１のセンサ３１４Ａ、第２の聴覚デバイス６用の第２のセンサ３１４Ｂ）を備える。さらに、聴覚デバイス３００は、モーションデータ（またはモーションデータを示すモーションセンサ信号）３２０、３２０Ａ、３２０Ｂをプロセッサユニット３１０に提供するためのモーションセンサ３１８（第１の聴覚デバイス４用の第１のモーションセンサ３１８Ａ、第２の聴覚デバイス６用の第２のモーションセンサ３１８Ｂ）を備える。聴覚デバイス３００は、プロセッサユニット３１０からの処理済み信号３２６（第１のプロセッサユニット３１０Ａからの第１の処理済み信号３２６Ａおよび第２のプロセッサユニット３１０Ｂからの第２の処理済み信号）に基づいて、オーディオ出力信号３２４（第１の聴覚デバイス４用の第１のオーディオ出力信号３２４Ａおよび第２の聴覚デバイス６用の第２のオーディオ出力信号３２４Ｂ）を出力するためのレシーバ３２２（第１の聴覚デバイス４用の第１のレシーバ３２２Ａ、第２の聴覚デバイス６用の第２のレシーバ３２２Ｂ）を備える。第１のセンサ３１４Ａおよび第２のセンサ３１４Ｂは、ユーザの耳甲介または外耳道内に配置されるように構成される。
【００８３】
第１のセンサ３１４Ａ、第１のモーションセンサ３１８Ａおよび第１のレシーバ３２２Ａは、第１のイヤピース２２Ａに配置または収容され、第１のセンサ３１４Ａ、第１のモーションセンサ３１８Ａおよび第１のレシーバ３２２Ａを第１のプロセッサユニット３１０Ａに接続するワイヤを備えるコネクタチューブ２４Ａを介して、ＢＴＥハウジング２０ａに通信可能に接続される。第１のイヤピース２２Ａは、完全外耳道挿入型イヤピースであってもよいし、部分的に外耳道内に配置され、部分的に耳甲介内に配置されていてもよい。
【００８４】
第１の聴覚デバイス４は、第１の聴覚デバイス４の第１のレシーバ３２２Ａを介して第１のオーディオ信号３３０を出力することにより、心房細動の状態を示す第１の出力信号を出力するように任意で構成されている。
【００８５】
第１の聴覚デバイス４は、通信モジュール３１２を介して第１のモーションデータＭＤ１および／または第１のセンサデータＳＤ１をアクセサリデバイスおよび／または第２の聴覚デバイスに送信するように構成されていてもよい。第１の聴覚デバイス４は、センサデータおよび／またはモーションデータに従って第１の聴覚デバイス４を制御するために、通信モジュール３１２を介して制御データＣＤを受信するように構成されていてもよい。
【００８６】
第１の聴覚デバイス４は、調整された第１のセンサデータＣＳＤ１（第１のモーションデータに基づいて調整された第１のセンサデータ）を、通信モジュール３１２を介してアクセサリデバイスおよび／または第２の聴覚デバイスに送信するように構成されていてもよい。
【００８７】
図５は、本開示による聴覚システム２の一実施形態における２つのＰＰＧ信号（第１のセンサ信号３１６Ａおよび第２のセンサ信号３１６Ｂ）の処理を概略的に示す。処理の目的は、ＡＦｉｂを示すことができる心拍数変動を検出するために、所定の期間に、例えば２分間にわたって見られる１組のＲＲ間隔の信頼できるＲＭＳＳＤ値を生成することである。ＲＭＳＳＤは、一連（期間）において隣接するＲＲ間隔の間の差の２乗の平均の平方根であり、ＲＲ間隔の変動の尺度である。ＲＭＳＳＤは、一般に、ＲＲタコグラムに存在するノイズのレベルとともに増加する。以下参照のこと。
【００８８】
【数１】
2020099674.tif 000003
【００８９】
聴覚デバイスシステム２は、ユーザの第１の耳で第１のＰＰＧ刺激５０を収集するための第１のセンサ３１４Ａとして第１のＰＰＧセンサ５４を有する第１の聴覚デバイス４と、ユーザの第２の耳で第２のＰＰＧ刺激５２を収集するための第２のセンサ３１４Ｂとして第２のＰＰＧセンサ５６を有する第２の聴覚デバイス６とを備え、ＰＰＧ刺激５０、５２は、ユーザ１４の経時的な血圧の変化によって生成される。第１のＰＰＧセンサ５４は、第１のＰＰＧ刺激５０の結果として第１のＰＰＧ信号５８（第１のセンサ信号）を生成し、第２のＰＰＧセンサ５６は、第２のＰＰＧ刺激５２の結果として第２のＰＰＧ信号６０（第２のセンサ信号）を生成する。第１のＰＰＧ信号５８は、ＲＭＳＳＤプロセッサ６２の第１のＲＲ間隔ウィンドウ６４に供給され、第２のＰＰＧ信号６０は、ＲＭＳＳＤプロセッサ６２の第２のＲＲ間隔ウィンドウ６６に供給される。第１のＲＲ間隔ウィンドウ６４および第２のＲＲ間隔ウィンドウ６６はそれぞれ、２分間測定したＰＰＧ信号５８、６０において検出されるそれぞれの１組のＲＲ間隔のサンプルを収集し記憶する。第１のＲＲ間隔ウィンドウ６４は、ウィンドウ内のサンプリングされたＲＲ間隔を、ウィンドウ内の欠落したＲＲ間隔の最大許容数を示すＴＨｚｅｒｏ７４の記憶された値と比較する。第１のウィンドウに存在するサンプリングされたＲＲ間隔の数が、記憶された値ＴＨｚｅｒｏ７４を超える場合、第１のウィンドウの内容は破棄される。同様に、第２のＲＲ間隔ウィンドウ６６は、ウィンドウ内のサンプリングされたＲＲ間隔を記憶された値Ｔｈｚｅｒｏ７４と比較し、第２のウィンドウに存在するサンプリングされたＲＲ間隔の数が、記憶された値ＴＨｚｅｒｏ７４を超える場合、第２のウィンドウの内容は破棄される。ＰＰＧ信号５８、６０のいずれもウィンドウ期間内に十分な数のＲＲ間隔を生成しない場合、第１のＲＭＳＳＤ値６８および第２のＲＭＳＳＤ値７０の両方が破棄される。
【００９０】
第１のＲＲ間隔ウィンドウ６４は、第１のＲＲ間隔シーケンスＲＭＳＳＤ６８をＲＲ間隔シーケンスジョイントプロセッサ７２の第１の入力に出力し、第２のＲＲ間隔ウィンドウ６６は、第２のＲＲ間隔シーケンスＲＭＳＳＤ７０をＲＲ間隔シーケンスジョイントプロセッサ７２の第２の入力に出力する。ＲＲ間隔プロセッサ７２において、第１のＲＲ間隔シーケンスＲＭＳＳＤ６８（第１のセンサデータ）の値および第２のＲＲ間隔シーケンスＲＭＳＳＤ７０（第２のセンサデータ）の値は、記憶された値ＴＨｄｉｆｆ７６と比較され、第１のＲＲ間隔シーケンスＲＭＳＳＤ６８と第２のＲＲ間隔シーケンスＲＭＳＳＤ７０との差がＴＨｄｉｆｆ７６を超えていれば、一番大きな値が破棄される。第１のＲＲ間隔シーケンスウィンドウ６４または第２のＲＲ間隔シーケンスウィンドウ６６の内容が破棄された場合、残るＲＭＳＳＤ値のみがＲＲ間隔シーケンスジョイントプロセッサ７２により使用される。さもなければ、ＲＲ間隔シーケンスジョイントプロセッサ７２は、ウィンドウ内のデータから統合されたＲＭＳＳＤ値７８を生成する。２つのＰＰＧセンサ信号からＲＭＳＳＤ値（センサデータ）を統合することにより、ＰＰＧ信号にもともと存在するノイズを低減することができる。
【００９１】
統合済みＲＭＳＳＤ値７８は、ＨＲＶ（心拍数変動）プロセッサ８０によってさらに処理され、ＨＲ（心拍数）値およびＨＲＶ（心拍数変動）値は、ＨＲＶおよびＨＲ（心拍数）計算器８２により計算される。これらの値またはパラメータは、警告検出器８４に提示され、閾値ストレージ８６の安静時ＨＲ閾値およびＨＲＶ閾値とそれぞれ比較される。聴覚デバイスからのモーション信号（図５には示されていない）と組み合わせて、ＨＲ値は、安静時ＨＲ値として検出され、安静時ＨＲ閾値と比較される。計算されたＨＲ値が安静時ＨＲ閾値を超えていれば、警告検出器８４は、安静時の心拍数の上昇を示す安静時ＨＲ警告を生成する。計算されたＨＲＶ値がＨＲＶ閾値を超えた場合、ＡＦｉｂ検出アルゴリズム（図示せず）は、ＡＦｉｂ警告を提供する。
【００９２】
警告検出器８４は、時間、安静時ＨＲフラグおよびＡＦＩＢフラグを備えるベクトルとして、出力信号８８を生成する。出力信号８８は、後の検索およびさらなる解析のために、出力データストレージ９０に記憶される。
【００９３】
図６は、本開示による例示的なアクセサリデバイス８を示す。アクセサリデバイス８は、第１の聴覚デバイスからの第１のセンサデータおよび／または調整された第１のセンサデータを備えるセンサデータを取得し、第１のセンサデータに基づいて、ユーザの心房細動の状態を検出するように任意で構成される。あるいは、アクセサリデバイスは、第１の聴覚デバイスから第１の制御データを取得するように構成され、第１の制御データは、第１の聴覚デバイスにおける心房細動の検出を示す。アクセサリデバイス８は、アクセサリデバイスのユーザの起動を検出し、心房細動の状態の検出およびユーザの起動の検出に従って、心房細動の状態を示す第２の出力信号を出力するように構成される。心房細動の状態を示す第２の出力信号を出力することは、心房細動の状態を示す第１のユーザインタフェース要素６０４を備える第１のユーザインタフェース６０２を、アクセサリデバイス８のディスプレイ６００に表示することを備える。第１のユーザインタフェース要素６０４は、例えば、コンテキストデータを、例えば図示されているような「心房細動を検出！」等のテキスト文字列を備えることによって、心房細動の状態の発生を示してもよい。
【００９４】
アクセサリデバイス８は、アクセサリデバイスのディスプレイ６００に、送信動作を示す第２のユーザインタフェース要素６０６を表示し、第２のユーザインタフェース要素６０６のユーザの選択を検出し、第２のユーザインタフェース要素６０６のユーザの選択の検出に従って、センサデータまたは少なくともその一部をサーバデバイスに送信するように構成されていてもよい。第２のユーザインタフェース要素６０６は、第１のユーザインタフェース６０２の一部として表示されてもよい。１つまたは複数の例示的な方法／アクセサリデバイスでは、第２のユーザインタフェース要素６０６は、例えば、第１のユーザインタフェース要素６０４のユーザの選択の検出に従って、第２のユーザインタフェースの一部として表示されてもよい。
【００９５】
アクセサリデバイス８は、アクセサリデバイスのディスプレイ６００に、アクセサリデバイスを用いた心臓の状態の測定を示す第３のユーザインタフェース要素６０８を表示し、第３のユーザインタフェース要素６０８のユーザの選択を検出し、第３のユーザインタフェース要素６０８のユーザの選択の検出に従って、アクセサリデバイスを用いた心臓の状態の測定を実行するように構成されていてもよい。アクセサリデバイス８は、心臓の状態の測定結果をサーバデバイスに送信するように構成されていてもよい。第３のユーザインタフェース要素６０８は、第１のユーザインタフェース６０２の一部として表示されてもよい。１つまたは複数の例示的な方法／アクセサリデバイスでは、第３のユーザインタフェース要素６０８は、例えば、第１のユーザインタフェース要素６０４のユーザの選択の検出に従って、第２のユーザインタフェースの一部として表示されてもよい。
【００９６】
アクセサリデバイス８は、ユーザへの指示をユーザに出力するように構成されていてもよい。ユーザへの指示の出力は、アクセサリデバイスのディスプレイに、ユーザへの指示を含む第４のユーザインタフェース要素６１０を、例えばテキストフィールドまたはテキストボックスを表示することを備えていてもよい。第４のユーザインタフェース要素６１０は、第１のユーザインタフェース６０２の一部として表示されてもよい。１つまたは複数の例示的な方法／アクセサリデバイスでは、第４のユーザインタフェース要素６１０は、例えば、第１のユーザインタフェース要素６０４のユーザの選択の検出に従って、第２のユーザインタフェースの一部として表示されてもよい。
【００９７】
アクセサリデバイス８は、例えば、聴覚システムの１つまたは複数のモーションセンサを用いて、ユーザのユーザ行動を検出し、ユーザ行動がユーザへの指示に対応していないかどうかを、例えば、そうするように指示されている場合にユーザが座っていないかどうかを判断するように構成されていてもよい。アクセサリデバイス８は、ユーザ行動がユーザへの指示に対応していないという判断に従って、ユーザへの指示に従っていないことを示す第５の出力信号を出力するように構成されていてもよい。第５の出力信号の出力は、アクセサリデバイスのディスプレイに、ユーザへの指示に従っていないことを示すコンテキストデータを含む第５のユーザインタフェース要素６１２を、例えばテキストフィールドまたはテキストボックスを表示することを備えていてもよい。第５のユーザインタフェース要素６１２は、第１のユーザインタフェース６０２の一部として表示されてもよい。１つまたは複数の例示的な方法／アクセサリデバイスでは、第５のユーザインタフェース要素６１２は、例えば、第１のユーザインタフェース要素６０４のユーザの選択の検出に従って、第２のユーザインタフェースの一部として表示されてもよい。
【００９８】
以下の項目および項のいずれかに係る方法および聴覚システムも開示される。
【００９９】
（項目１）第１の聴覚デバイスおよびアクセサリデバイスを備える聴覚システムの操作方法であって、
ユーザの第１の耳に配置される第１の聴覚デバイスからの第１のセンサ信号を示す第１のセンサデータを備えるセンサデータを取得するステップと、
第１のセンサデータに基づいて、ユーザの心房細動の状態を検出するステップと、
心房細動の状態の検出に従って、心房細動の状態を示す第１の出力信号を出力するステップと、
を備える、方法。
【０１００】
（項目２）聴覚システムは、第２の聴覚デバイスを備え、センサデータは、ユーザの第２の耳に配置される第２の聴覚デバイスからの第２のセンサ信号を示す第２のセンサデータを備え、ユーザの心房細動の状態を検出するステップは、第２のセンサデータにさらに基づく、項目１に記載の方法。
【０１０１】
（項目３）心房細動の状態を示す第１の出力信号を出力するステップは、第１の聴覚デバイスを介して第１のオーディオ信号を出力するステップを備える、項目１〜２のいずれか１つに記載の方法。
【０１０２】
（項目４）アクセサリデバイスのユーザの起動を検出するステップと、心房細動の状態の検出およびユーザの起動の検出に従って、心房細動の状態を示す第２の出力信号を出力するステップと、を備える、項目１〜３のいずれか１つに記載の方法。
【０１０３】
（項目５）心房細動の状態を示す第２の出力信号を出力するステップは、心房細動の状態を示す第１のユーザインタフェース要素を備える第１のユーザインタフェースを、アクセサリデバイスのディスプレイに表示することを備える、項目４に記載の方法。
【０１０４】
（項目６）アクセサリデバイスのディスプレイに、送信動作を示す第２のユーザインタフェース要素を表示するステップと、第２のユーザインタフェース要素のユーザの選択を検出するステップと、第２のユーザインタフェース要素のユーザの選択の検出に従って、センサデータをサーバデバイスに送信するステップと、を備える、項目４〜５のいずれか１つに記載の方法。
【０１０５】
（項目７）アクセサリデバイスのディスプレイに、アクセサリデバイスを用いた心臓の状態の測定を示す第３のユーザインタフェース要素を表示するステップと、第３のユーザインタフェース要素のユーザの選択を検出するステップと、第３のユーザインタフェース要素のユーザの選択の検出に従って、アクセサリデバイスを用いた心臓の状態の測定を実行するステップと、を備える、項目４〜６のいずれか１つに記載の方法。
【０１０６】
（項目８）心臓の状態の測定結果をサーバデバイスに送信するステップを備える、項目７に記載の方法。
【０１０７】
（項目９）ユーザへの指示をユーザに出力するステップと、ユーザのユーザ行動を検出するステップと、ユーザ行動がユーザへの指示に対応していないかどうかを判断するステップと、ユーザ行動がユーザへの指示に対応していないという判断に従って、ユーザへの指示に従っていないことを示す第５の出力信号を出力するステップと、を備える、項目４〜８のいずれか１つに記載の方法。
【０１０８】
（項目１０）ユーザの心房細動の状態を検出するステップは、センサデータに対する心拍数変動解析を実行するステップを備える、項目１〜９のいずれか１つに記載の方法。
【０１０９】
（項目１１）ユーザの心房細動の状態を検出するステップは、センサデータに基づき複数のＲ−Ｒ間隔を決定するステップを備える、項目１〜１０のいずれか１つに記載の方法。
【０１１０】
（項目１２）第１のセンサ信号を提供する第１のセンサは、光電式容積脈波センサである、項目１〜１１のいずれか１つの記載の方法。
【０１１１】
（項目１３）第２のセンサ信号を提供する第２のセンサは、光電式容積脈波センサである、項目２に従属する項目１〜１２のいずれか１つに記載の方法。
【０１１２】
（項目１４）第１の聴覚デバイスは、第１のマイクロホンおよび第１のプロセッサユニットを備え、
第１の入力信号を提供する第１のマイクロホンにより、音声入力信号を検出するステップと、
第１のプロセッサユニットによって、第１の聴覚デバイスを装着したユーザの聴力損失に従う第１の入力信号を処理するステップと、
第１のプロセッサユニットによって、処理済み信号を出力するステップと、
をさらに備える、請求項１〜８のいずれか一項に記載の方法。
【０１１３】
（項目１５）聴覚システムは、第１のレシーバをさらに備え、
第１のレシーバを用いて、処理済み信号に基づく第１のオーディオ出力信号を出力するステップをさらに備える、項目１４に記載の方法。
【０１１４】
（項目１６）聴覚システムは、第１のセンサ信号を提供するように構成される第１のセンサを備える、項目１〜１５のいずれか１つに記載の方法。
【０１１５】
（項目１７）第１のセンサは、ユーザの耳甲介または外耳道内に配置されるように構成される、項目１６に記載の方法
【０１１６】
（項目１８）第１のセンサは、複数の電気ワイヤを備える第２のケーブルを介して、第１の聴覚デバイス／第１のプロセッサユニットに通信可能に接続されている、項目１６または１７に記載の方法。
【０１１７】
（項目１９）第１のレシーバは、少なくとも部分的にユーザの外耳道内に配置され、第１のレシーバは、複数の電気ワイヤを備える第１のケーブルを介して、前記第１の聴覚デバイス／第１のプロセッサユニットに通信可能に接続されている、項目１５または項目１５に従属する項目１６〜１８のいずれか１つに記載の方法。
【０１１８】
（項目２０）第１の聴覚デバイスは、モーションセンサを備え、
モーションセンサからの第１のモーションセンサ信号を示す第１のモーションデータを備えるモーションデータを取得するステップをさらに備え、
ユーザの心房細動の状態を検出するステップは、第１のモーションデータに基づく、項目１〜１９のいずれか１つに記載の方法。
【０１１９】
（項目２１）ユーザの心房細動の状態を検出するステップは、
第１のモーションデータを第１のモーション閾値と比較するステップと、
第１のモーションデータが第１のモーション閾値に基づく第１のモーション基準を満たすことに従って、第１のセンサデータを調整するステップと、
をさらに備える、請求項１３に記載の方法。
【０１２０】
（項目２２）第１のレシーバおよび第１のセンサは、ユーザの外耳道内のハウジングに収容されている、項目１５に従属する項目１６に記載の方法。
【０１２１】
（項目２３）第１の聴覚デバイスおよびアクセサリデバイスを備える聴覚システムであって、項目１〜２２のいずれか１つに記載の方法を実行するように構成される、聴覚システム。
【０１２２】
（第１項）第１の聴覚デバイスおよび第２の聴覚デバイスを備える聴覚システムの操作方法であって、
センサデータを取得するステップであって、センサデータは、第１の生理学的データを表す第１のセンサデータと、第２の生理学的データを表す第２のセンサデータと、を備え、第１のセンサデータは、ユーザの第１の耳に配置される第１の聴覚デバイスからの第１のセンサ信号を示し、第２のセンサデータは、ユーザの第２の耳に配置される第２の聴覚デバイスからの第２のセンサ信号を示す、取得するステップと、
第１のセンサデータと第２のセンサデータとを比較するステップと、
第１のセンサデータと第２のセンサデータとの比較に基づき、第１のパラメータを特定するステップと、
第１のパラメータを示す第１の出力信号を出力するステップと、
を備える、方法。
【０１２３】
（第２項）第１の聴覚デバイスおよび／または第２の聴覚デバイスからモーションデータを取得するステップをさらに備える、第１項に記載の方法。
【０１２４】
（第３項）第１のセンサデータと第２のセンサデータとを比較するステップは、モーションデータに基づく、第２項に記載の方法。
【０１２５】
（第４項）モーションデータは、第１の聴覚デバイスまたは第２の聴覚デバイスに配置されるモーションセンサを使用して測定される、第２項または第３項に記載の方法。
【０１２６】
（第５項）第１の生理学的データおよび第２の生理学的データは、ユーザの心機能を表す、第１項〜第４項のいずれか１項に記載の方法。
【０１２７】
（第６項）第１のパラメータは、ユーザの心拍数変動を示す、第１項〜第５項のいずれか１項に記載の方法。
【０１２８】
（第７項）第１のセンサデータ、第２のセンサデータおよび第１のパラメータに基づき、第２のパラメータを特定するステップを備え、第２のパラメータは、心房細動の存在を示す、第１項〜第５項のいずれか１項に記載の方法。
【０１２９】
（第８項）第１のパラメータは、ユーザの心房細動の状態を示す、第１項〜第５項のいずれか１項に記載の方法。
【０１３０】
（第９項）第１のセンサデータと第２のセンサデータを比較するステップは、第１の聴覚デバイスで実行される、第１項〜第８項のいずれか１項に記載の方法。
【０１３１】
（第１０項）第１のセンサデータは、第１の聴覚デバイスの第１のセンサを介して取得され、かつ／または、第２のセンサデータは、第２の聴覚デバイスの第２のセンサを介して取得される、第１項〜第９項のいずれか１項に記載の方法。
【０１３２】
（第１１項）センサデータは、３０秒超、好ましくは６０秒超、好ましくは９０秒超、好ましくは１２０秒の期間にわたって取得される、第１項〜第１０項のいずれか１項に記載の方法。
【０１３３】
（第１２項）第１のパラメータを特定するステップは、センサデータのデフォルト生理学的データとは異なる部分を特定するステップを備える、第１項〜第１１項のいずれか１項に記載の方法。
【０１３４】
（第１３項）第１のパラメータを特定するステップは、センサデータの生理学的な異常を表す所定のパターンに対して類似点を有する部分を特定するステップを備える、第１項〜第１２項のいずれか１項に記載の方法。
【０１３５】
（第１４項）のパラメータを特定するステップは、第１のセンサデータおよび第２のセンサデータのそれぞれの期間を特定するステップと、第１のセンサデータおよび第２のセンサデータの期間を比較するステップと、第１のセンサデータおよび第２のセンサデータの期間に基づき、第１のパラメータを特定するステップと、を備える、第１項〜第１２項のいずれか１項に記載の方法。
【０１３６】
（第１５項）第１のパラメータは、データパターンを備える、第１項〜第１４項のいずれか１項に記載の方法。
【０１３７】
（第１６項）データパターンは、生理学的な異常を示す、第１５項に記載の方法。
【０１３８】
（第１７項）第１のパラメータを特定するステップは、センサデータに対して心拍数変動解析を実行するステップを備える、第１項〜第１６項のいずれか１項に記載の方法。
【０１３９】
（第１８項）第１のパラメータは、センサデータの１つまたは複数のＲ−Ｒ間隔を示す、第１項〜第１６項のいずれか１項に記載の方法。
【０１４０】
（第１９項）第１のセンサ信号を提供する第１のセンサは、光電式容積脈波センサであり、第２のセンサ信号を提供する第２のセンサは、光電式容積脈波センサである、第１項〜第１８項のいずれか１項に記載の方法。
【０１４１】
（第２０項）第１のセンサデータを取得する第１のセンサを備える第１の聴覚デバイスと、
第２のセンサデータを取得する第２のセンサを備える第２の聴覚デバイスと、 
処理ユニットであって、
第１のセンサデータと第２のセンサデータとを比較し、
第１のセンサデータと第２のセンサデータとの比較に基づき、第１のパラメータを特定し、
第１のパラメータを示す第１の出力信号を出力するように構成される、処理ユニットと、
を備える、聴覚システム。
【０１４２】
「第１の」、「第２の」、「第３の」および「第４の」、「１次」、「２次」、「３次」等の用語の使用は、任意の特定の順序を意味するものではなく、個々の要素を識別するために含まれる。さらに、「第１の」、「第２の」、「第３の」および「第４の」、「１次」、「２次」、「３次」等の用語の使用は、いかなる順序または重要性も示すものではなく、むしろ「第１の」、「第２の」、「第３の」および「第４の」、「１次」、「２次」、「３次」等の用語は、ある要素を他の要素と区別するために使用される。「第１の」、「第２の」、「第３の」および「第４の」、「１次」、「２次」、「３次」等の用語は、本明細書および他の箇所において標識する目的でのみ使用されており、任意の特定の空間的または時間的な順序を示すことは意図されていないことに留意されたい。
【０１４３】
さらに、第１の要素の標識は、第２の要素の存在を意味するものではなく、その逆も同様である。
【０１４４】
図１〜図３は、実線で示されるいくつかのモジュールまたは操作と、破線で示されるいくつかのモジュールまたは操作とを含むことが認識されるであろう。実線に含まれるモジュールまたは操作は、最も広い例示的実施形態に含まれるモジュールまたは操作である。破線に含まれるモジュールまたは操作は、実線の例示的実施形態のモジュールまたは操作に追加して採用されてもよい追加のモジュールまたは操作に含まれていてもよいし、その一部であってもよいし、当該追加のモジュールまたは操作であってもよい例示的実施形態である。これらの操作は、提示された順序で実行される必要はないことを理解すべきである。さらに、これらの操作のすべてが実行される必要はないことを理解すべきである。例示的操作は、任意の順序かつ任意の組み合わせで実行されてもよい。
【０１４５】
用語「備える」とは、必ずしも列挙された要素またはステップ以外の存在を排除するものではないことに留意されたい。
【０１４６】
要素に先立つ用語「１つの（ａ、ａｎ）」は、このような要素の複数の存在を排除するものではないことに留意されたい。
【０１４７】
さらに、いかなる参照符号も請求項の範囲を限定するものではなく、例示的実施形態は少なくとも部分的にハードウェアおよびソフトウェアの双方により実装されていてもよく、いくつかの「手段」、「ユニット」または「デバイス」が同一のハードウェアアイテムにより表わされてもよいことに留意すべきである。
【０１４８】
本明細書に記載されている種々の例示的な方法、デバイス、エージェントおよびシステムは、方法ステップのプロセスの一般的文脈において記述されており、方法ステップのプロセスは、一態様では、コンピュータが実行可能な命令を、例えばネットワーク化された環境においてコンピュータにより実行されるプログラムコードを含む、コンピュータ可読媒体にて実施されるコンピュータプログラム製品によって実施されてもよい。コンピュータ可読媒体としては、読み出し専用メモリ（ＲＯＭ）、ランダムアクセスメモリ（ＲＡＭ）、コンパクトディスク（ＣＤ）、デジタル多用途ディスク（ＤＶＤ）等を含むが、これらに限定されない、取り外し可能および取り外し不能なデータ記憶ユニットを挙げることができる。一般に、プログラムモジュールとしては、例えば、特定のタスクを実行するか、または特定の抽象データ型を実装する、ルーチン、プログラム、オブジェクト、コンポーネント、データ構造等を挙げることができる。コンピュータが実行可能な命令、関連付けられたデータ構造およびプログラムモジュールは、本明細書で開示される方法のステップを実行するプログラムコードの例を表す。このような実行可能命令または関連付けられたデータ構造の特定の順序は、このようなステップまたはプロセスにて記述される機能を実施するための対応する行為の例を表す。
【０１４９】
特徴を示し、説明したが、それらの特徴は、特許請求の範囲に記載された発明を限定することを意図していないことが理解され、各種変更および改変が特許請求の範囲に記載された発明の趣旨および範囲から逸脱することなく行われ得ることが当業者には明らかになるだろう。したがって、明細書および図面は、限定するものではなくむしろ例示としてみなされるべきである。特許請求の範囲に記載された発明は、あらゆる代替、改変および均等物を包含することが意図される。
【符号の説明】
【０１５０】
２：聴覚システム
４：第１の聴覚デバイス
６：第２の聴覚デバイス
８：アクセサリデバイス
９：サーバデバイス
１０：無線接続
１２：無線接続
１３：無線接続
１３Ａ：アクセサリデバイスからサーバデバイスへの接続
１４：ユーザ
１６：第１の耳
１８：第２の耳
２０：ＢＴＥハウジング
２０Ａ：第１のＢＴＥハウジング
２０Ｂ：第２のＢＴＥハウジング
２２：イヤピース
２２Ａ：第１のイヤピース
２２Ｂ：第２のイヤピース
２４：チューブコネクタ
２４Ａ：第１のチューブコネクタ
２４Ｂ：第２のチューブコネクタ
５０：第１のＰＰＧ刺激
５２：第２のＰＰＧ刺激
５４：第１のＰＰＧセンサ
５６：第２のＰＰＧセンサ
５８：第１のＰＰＧ信号
６０：第２のＰＰＧ信号
６２：ＲＭＳＳＤプロセッサ
６４：第１の１２０秒ＲＲ間隔ウィンドウ
６６：第２の１２０秒ＲＲ間隔ウィンドウ
６８：第１のＲＲ間隔シーケンスＲＭＳＳＤ
７０：第２のＲＲ間隔シーケンスＲＭＳＳＤ
７２：ＲＲ間隔シーケンスジョイントプロセッサ
７４：ＴＨＺｅｒｏ、ウィンドウ／期間内の欠落したＲＲ間隔の最大許容可能数
７６：ＴＨｄｉｆｆ、最大のものを破棄する前の左右のＲＭＳＳＤ間の最大許容差
７８：統合済みＲＭＳＳＤ信号
８０：ＨＲＶ（心拍数変動）プロセッサ
８２：ＨＲＶおよびＨＲ（心拍数）計算器
８４：警告検出器
８６：閾値ストレージ
８８：出力信号
９０：出力データストレージ
１００：第１の聴覚デバイスおよび第２の聴覚デバイスを備える聴覚システムの操作方法
１０２：センサデータを取得するステップ
１０２Ａ：第１のセンサデータを取得するステップ
１０２Ｂ：第２のセンサデータを取得するステップ
１０４：第１のセンサデータと第２のセンサデータを比較するステップ
１０６：第１のパラメータを特定するステップ
１０８：第１の出力信号を出力するステップ
１１０：モーションデータの取得
１１０Ａ：第１のモーションデータの取得
１１０Ｂ：第２のモーションデータの取得
２００：第１の聴覚デバイスおよびアクセサリデバイスを備える聴覚システムの操作
２０４：心房細動の状態を検出するステップ
２０４Ａ：センサデータに心拍数変動解析を実行するステップ
２０４Ｂ：センサデータに基づき複数のＲ−Ｒ間隔を決定するステップ
２０４Ｃ：モーションデータをモーション閾値と比較するステップ
２０４Ｄ：センサデータを調整するステップ
２０６：第１の出力信号を出力するステップ
２０６Ａ：第１の聴覚デバイスを介して第１のオーディオ信号を出力するステップ
２０８：アクセサリデバイスのユーザの起動を検出するステップ
２１０：アクセサリデバイスを用いて１つまたは複数の出力信号を出力するステップ
２１０Ｂ：心房細動の状態を示す第２の出力信号を出力するステップ
２１０ＢＢ：心房細動の状態を示す第１のユーザインタフェース要素を備える第１のユーザインタフェースを、アクセサリデバイスのディスプレイに表示するステップ
２１２：１つまたは複数の基準が満たされていることに従う
２１２Ａ：心房細動の状態の検出およびユーザの起動の検出に従う
２１４Ａ：送信行為を示す第２のユーザインタフェース要素を、アクセサリデバイスのディスプレイに表示するステップ
２１４Ｂ：第２のユーザインタフェース要素のユーザの選択を検出するステップ
２１４Ｃ：センサデータをサーバデバイスに送信するステップ
２１６Ａ：アクセサリデバイスを用いた心臓の状態の測定を示す第３のユーザインタフェース要素を、アクセサリデバイスのディスプレイに表示するステップ
２１６Ｂ：第３のユーザインタフェース要素のユーザの選択を検出するステップ
２１６Ｃ：アクセサリデバイスを用いた心臓の状態の測定を実行するステップ
２１６Ｄ：心臓の状態の測定結果をサーバデバイスに送信するステップ
２１８Ａ：ユーザへの指示をユーザに出力するステップ
２１８Ｂ：ユーザのユーザ行動を検出するステップ
２１８Ｃ：ユーザ行動がユーザへの指示に対応していないかどうかを判断するステップ
２１８Ｄ：ユーザへの指示に従っていないことを示す第５の出力信号を出力するステップ
２２０：補聴器の動作
２２２：モーションデータを取得するステップ
３００：聴覚デバイス
３０２：ＢＴＥハウジング
３０４：入力モジュール
３０６：第１のマイクロホン
３０８：第２のマイクロホン
３１０：プロセッサユニット
３１０Ａ：第１の聴覚デバイスの第１のプロセッサユニット
３１０Ｂ：第２の聴覚デバイスの第２のプロセッサユニット
３１２：通信モジュール
３１４：センサ
３１４Ａ：第１の聴覚デバイスの第１のセンサ
３１４Ｂ：第２の聴覚デバイスの第２のセンサ
３１６：センサ信号
３１６Ａ：第１のセンサからの第１のセンサ信号
３１６Ｂ：第２のセンサからの第２のセンサ信号
３１８：モーションセンサ
３１８Ａ：第１の聴覚デバイスの第１のモーションセンサ
３１８Ｂ：第２の聴覚デバイスの第２のモーションセンサ
３２０、ＭＤ：モーションデータ
３２０Ａ、ＭＤ１：第１のモーションデータ
３２０Ｂ、ＭＤ２：第２のモーションデータ
３２２：レシーバ
３２２Ａ：第１の聴覚デバイスの第１のレシーバ
３２２Ｂ：第２の聴覚デバイスの第２のレシーバ
３２４：オーディオ出力信号
３２４Ａ：第１の聴覚デバイスからの第１のオーディオ出力信号
３２４Ｂ：第２の聴覚デバイスからの第２のオーディオ出力信号
３２６：プロセッサユニットからの処理済み信号
３２６Ａ：第１のプロセッサユニットからの第１の処理済み信号
３２６Ｂ：第２のプロセッサユニットからの第２の処理済み信号
３３０：第１の聴覚デバイスおよび／または第２の聴覚デバイスからの第１のオーディオ信号
６００：アクセサリデバイスのディスプレイ
６０２：第１のユーザインタフェース
６０４：第１のユーザインタフェース要素
６０６：第２のユーザインタフェース要素
６０８：第３のユーザインタフェース要素
６１０：第４のユーザインタフェース要素
６１２：第５のユーザインタフェース要素
ＳＤ１：第１のセンサデータ
ＳＤ２：第２のセンサデータ
ＣＳＤ１：調整された第１のセンサデータ
ＣＳＤ２：調整された第２のセンサデータ
【図１】
2020099674.tif 000004
【図２】
2020099674.tif 000005
【図３】
2020099674.tif 000006
【図４】
2020099674.tif 000007
【図５】
2020099674.tif 000008
【図６】
2020099674.tif 000009
【外国語明細書】
2020099674000001.pdf
2020099674000002.pdf
2020099674000003.pdf
2020099674000004.pdf